(57)【要約】      （修正有）【課題】  遠隔管理装置から空調機を遠隔管理するために必要な情報を検出することができる空調管理システム及び空調設備の管理方法を提供する。【解決手段】  空調設備６０は、複数の空調機６０ａａ等を有する。空調設備６０は、管理装置３０にネットワーク５０で接続されている。管理装置３０は、遠隔管理装置７０にネットワーク４０で接続されている。空調設備６０は、受信部等と送信部等とを備える。受信部等は、プロパティコマンド要求コマンドを管理装置３０からネットワーク５０経由で受信する。送信部等は、プロパティコマンド要求コマンドに基づいて、プロパティコマンド等を管理装置３０へネットワーク５０経由で送信する。【選択図】      図１
2005214427.tif 000002
【特許請求の範囲】
【請求項１】
遠隔管理装置（７０）に第２ネットワーク（４０）で接続されている管理装置（３０，１３０）に第１ネットワーク（５０）で接続されており、複数の空調機（６０ａａ，６０ａｂ，６０ａｃ，６０ａｄ，・・・，６０ｂａ，６０ｂｂ，６０ｂｃ，６０ｂｄ，・・・，１６０ａａ，１６０ａｂ，１６０ａｃ，１６０ａｄ，・・・，１６０ｂａ，１６０ｂｂ，１６０ｂｃ，１６０ｂｄ，・・・）を有する空調設備（６０，１６０）であって、
前記遠隔管理装置（７０）から前記複数の空調機（６０ａａ，・・・）のいずれかが遠隔管理されるために必要な情報であり前記複数の空調機（６０ａａ，・・・）のいずれかについて種類及び性能の少なくとも一方を特定する情報である特定情報を要求する信号である第１要求信号を、前記管理装置（３０，１３０）から前記第１ネットワーク（５０）経由で受信する受信部（６１ａａ，・・・）と、
前記第１要求信号に基づいて、前記特定情報を前記管理装置（３０，１３０）へ前記第１ネットワーク（５０）経由で送信する送信部（６２ａａ，・・・）と、
を備えた、
空調設備（６０，１６０）。
【請求項２】
前記特定情報を記憶している記憶部（６４ａａ，・・・，１６４ａａ，・・・）と、
前記第１要求信号に基づいて、前記特定情報を決定する決定部（６３ａａ，・・・，１６３ａａ，・・・）と、
をさらに備えた、
請求項１に記載の空調設備（６０，１６０）。
【請求項３】
前記送信部（６２ａａ，・・・）は、前記複数の空調機（６０ａａ，・・・）のいずれかを識別する情報である識別情報と、前記複数の空調機（６０ａａ，・・・）のいずれかの運転に関する情報である運転情報と、を前記管理装置（３０，１３０）へ前記第１ネットワーク（５０）経由でさらに送信する、
請求項１又は２に記載の空調設備（６０，１６０）。
【請求項４】
前記送信部（６２ａａ，・・・）は、前記識別情報と前記運転情報とを前記管理装置（３０，１３０）へ前記第１ネットワーク（５０）経由で定期的に送信する、
請求項３に記載の空調設備（６０，１６０）。
【請求項５】
前記受信部（６１ａａ，・・・）は、前記遠隔管理装置（７０）から前記複数の空調機（６０ａａ，・・・）のいずれかが遠隔管理されるために必要な情報であり前記遠隔管理装置（７０）から前記複数の空調機（６０ａａ，・・・）のいずれかが識別される情報である上位識別情報の設定を要求する信号である第２要求信号を、前記管理装置（３０，１３０）から前記第１ネットワーク（５０）経由で受信する、
請求項１から４のいずれかに記載の空調設備（６０，１６０）。
【請求項６】
複数の空調機（６０ａａ，・・・）を有する空調設備（６０，１６０）と、
前記空調設備（６０，１６０）に第１ネットワーク（５０）経由で接続されており、遠隔管理装置（７０）に第２ネットワーク（４０）で接続されている管理装置（３０，１３０）と、
を備え、
前記管理装置（３０，１３０）は、前記遠隔管理装置（７０）から前記複数の空調機（６０ａａ，・・・）のいずれかを遠隔管理するために必要な情報であり前記複数の空調機（６０ａａ，・・・）のいずれかについて種類及び性能の少なくとも一方を特定する情報である特定情報を要求する信号である第１要求信号を、前記空調設備（６０，１６０）へ前記第１ネットワーク（５０）経由で送信し、
前記空調設備（６０，１６０）は、前記第１要求信号に基づいて、前記特定情報を前記管理装置（３０，１３０）へ前記第１ネットワーク（５０）経由で送信する、
空調管理システム（１，１００）。
【請求項７】
１以上の室外機（６０ａａ，６０ｂａ，・・・，１６０ａａ，１６０ｂａ，・・・）と１以上の室内機（６０ａｂ，６０ａｃ，６０ａｄ，・・・，６０ｂｂ，６０ｂｃ，６０ｂｄ，・・・，１６０ａｂ，１６０ａｃ，１６０ａｄ，・・・，１６０ｂｂ，１６０ｂｃ，１６０ｂｄ，・・・）とを含む１以上の冷媒系統（９１，９２，・・・，９１ａ，・・・）を有する空調設備（６０，１６０）と、
前記空調設備（６０，１６０）に第１ネットワーク（５０）で接続されており、遠隔管理装置（７０）に第２ネットワーク（４０）で接続されている管理装置（３０，１３０）と、
を備え、
前記空調設備（６０，１６０）は、前記１以上の室外機（６０ａａ，・・・）のいずれか又は前記１以上の室内機（６０ａｂ，・・・）のいずれかが前記遠隔管理装置（７０）から遠隔管理されるために必要な情報であり前記冷媒系統（９１，９２，・・・，９１ａ，・・・）の構成が識別される情報である系統識別情報と、前記１以上の室外機（６０ａａ，・・・）のいずれか又は前記１以上の室内機（６０ａｂ，・・・）のいずれかの運転に関する情報である運転情報と、を前記管理装置（３０，１３０）へ前記第１ネットワーク（５０）経由で送信する、
空調管理システム（１，１００）。
【請求項８】
複数の空調機（６０ａａ，・・・）を有する空調設備（６０，１６０）と、
前記空調設備（６０，１６０）に第１ネットワーク（５０）で接続されている管理装置（３０，１３０）と、
前記管理装置（３０，１３０）に第２ネットワーク（４０）で接続されている遠隔管理装置（７０）と、
を備え、
前記空調設備（６０，１６０）は、前記遠隔管理装置（７０）から前記複数の空調機（６０ａａ，・・・）のいずれかが遠隔管理されるために必要な情報であり前記複数の空調機（６０ａａ，・・・）のいずれかの種類及び性能の少なくとも一方を特定する情報である特定情報を要求する信号である第１要求信号を、前記管理装置（３０，１３０）から前記第１ネットワーク（５０）経由で受信し、前記第１要求信号に基づいて、前記特定情報を前記管理装置（３０，１３０）へ前記第１ネットワーク（５０）経由で送信し、
前記管理装置（３０，１３０）は、前記特定情報を前記空調設備（６０，１６０）から前記第１ネットワーク（５０）経由で受信し、前記特定情報を前記遠隔管理装置（７０）へ前記第２ネットワーク（４０）経由で送信する、
空調管理システム（１，１００）。
【請求項９】
遠隔管理装置（７０）に第２ネットワーク（４０）で接続されている管理装置（３０，１３０）に第１ネットワーク（５０）で接続されており複数の空調機（６０ａａ，・・・）を有する空調設備（６０，１６０）の管理方法であって、
前記遠隔管理装置（７０）から前記複数の空調機（６０ａａ，・・・）のいずれかが遠隔管理されるために必要な情報であり前記複数の空調機（６０ａａ，・・・）のいずれかについて種類及び性能の少なくとも一方が特定される情報である特定情報が要求される信号である第１要求信号が、前記管理装置（３０，１３０）から前記第１ネットワーク（５０）経由で前記空調設備（６０，１６０）に受信される受信ステップと、
前記第１要求信号に基づいて、前記特定情報が前記空調設備（６０，１６０）から前記第１ネットワーク（５０）経由で前記管理装置（３０，１３０）へ送信される送信ステップと、
を備えた、
空調設備（６０，１６０）の管理方法。
【発明の詳細な説明】
【技術分野】
【０００１】
本発明は、空調設備、空調管理システム及び空調設備の管理方法に関する。
【背景技術】
【０００２】
空調設備が管理装置に第１ネットワークで接続されており、管理装置が遠隔管理装置に第２ネットワークで接続されており、空調設備が室内機や室外機などの複数の空調機を有する場合、空調機が遠隔管理装置から第２ネットワークと管理装置と第１ネットワークとを経由して遠隔管理されることがある（例えば、特許文献１参照。）。例えば、建物に配備された空調設備における空調機が、建物から離れた場所にあり管理装置の上位にある遠隔管理装置から、第２ネットワークと管理装置と第１ネットワークとを経由して遠隔管理されることがある。
【０００３】
一方、遠隔管理装置から第２ネットワークと管理装置と第１ネットワークとを経由して空調設備における複数の空調機のいずれかが遠隔管理される準備として、遠隔管理装置から複数の空調機のいずれかが遠隔管理されるために必要な情報が、管理装置により検出されることがある（例えば、特願２００２−１７０５０３参照。）。
【特許文献１】特開２００３−１０２０７８（第１−１０項、図１−図７）
【発明の開示】
【発明が解決しようとする課題】
【０００４】
しかし、従来の空調設備では、遠隔管理装置から複数の空調機のいずれかが遠隔管理されるために必要な情報が、空調設備全体の初期の起動時にしか、空調設備から管理装置へ送信されない傾向にある。そのため、複数の空調機のうち遠隔管理装置から遠隔管理されていない空調機を遠隔管理装置から遠隔管理する必要が生じた場合、すなわち、空調設備における空調機の全てに対して遠隔管理が開始されるような場合や空調設備に新しい空調機が追加されたような場合、空調設備全体がリセットされなければならず、それにより空調設備全体が停止されてしまうため、空調設備が配備された建物における快適性が損なわれるおそれがある。また、空調設備全体が停止されることにより、複数の空調機のいずれかを識別する情報である識別情報が空調設備における空調機全てに対して再度設定し直されるため、遠隔管理装置から複数の空調機のいずれかが遠隔管理されるために必要な情報が検出されるのに時間がかかる傾向にある。
【０００５】
そこで、本発明の課題は、停止されることなく、遠隔管理装置から複数の空調機のいずれかが遠隔管理されるために必要な情報が検出されることが可能である空調設備と、空調設備を停止することなく、遠隔管理装置から空調機を遠隔管理するために必要な情報を検出することができる空調管理システム及び空調設備の管理方法と、を提供することにある。
【課題を解決するための手段】
【０００６】
請求項１に係る空調設備は、複数の空調機を有する空調設備である。空調設備は、管理装置に第１ネットワークで接続されている。管理装置は、遠隔管理装置に第２ネットワークで接続されている。空調設備は、受信部と送信部とを備える。受信部は、第１要求信号を管理装置から第１ネットワーク経由で受信する。第１要求信号は、特定情報を要求する信号である。特定情報は、遠隔管理装置から複数の空調機のいずれかが遠隔管理されるために必要な情報であり、複数の空調機のいずれかについて種類及び性能の少なくとも一方を特定する情報である。送信部は、第１要求信号に基づいて、特定情報を管理装置へ第１ネットワーク経由で送信する。
【０００７】
この空調設備では、受信部が、第１要求信号を管理装置から第１ネットワーク経由で受信する。第１要求信号に基づいて、特定情報を決定することができる。送信部が、第１要求信号に基づいて、特定情報を管理装置へ第１ネットワーク経由で送信する。
したがって、管理装置が特定情報を第１ネットワーク経由で受信することができるため、管理装置に特定情報を把握させることができる。このため、遠隔管理装置から第２ネットワークと管理装置と第１ネットワークとを経由して複数の空調機のいずれかが遠隔管理される準備として、停止されることなく、遠隔管理装置から複数の空調機のいずれかが遠隔管理されるために必要な情報が検出されることが可能である。
【０００８】
なお、空調機は、例えば、室内機や室外機などである。「第１要求信号に基づいて」とは、第１要求信号そのものに基づくことだけでなく、第１要求信号に基づいた情報に基づくことも含む。第１ネットワークと第２ネットワークとは、プロトコルが同じであってもよいし、プロトコルが異なっていてもよい。
請求項２に係る空調設備は、請求項１に記載の空調設備であって、記憶部と決定部とをさらに備える。記憶部は、特定情報を記憶している。決定部は、第１要求信号に基づいて、特定情報を決定する。
【０００９】
この空調設備では、受信部が、第１要求信号を管理装置から第１ネットワーク経由で受信する。記憶部が、特定情報を記憶している。決定部が、第１要求信号を受け取ることができる。決定部が、第１要求信号に基づいて、特定情報を決定する。決定部が、記憶部を参照して、特定情報を取得することができる。送信部が、特定情報を受け取ることができる。送信部が、第１要求信号に基づいて、特定情報を管理装置へ第１ネットワーク経由で送信する。
【００１０】
したがって、管理装置が特定情報を第１ネットワーク経由で受信することができるため、管理装置に特定情報を把握させることができる。このため、遠隔管理装置から第２ネットワークと管理装置と第１ネットワークとを経由して複数の空調機のいずれかが遠隔管理される準備として、停止されることなく、遠隔管理装置から複数の空調機のいずれかが遠隔管理されるために必要な情報が検出されることが可能である。
【００１１】
請求項３に係る空調設備は、請求項１又は２に記載の空調設備であって、送信部は、識別情報と運転情報とを管理装置へ第１ネットワーク経由でさらに送信する。識別情報は、複数の空調機のいずれかを識別する情報である。運転情報は、複数の空調機のいずれかの運転に関する情報である。
この空調設備では、送信部が、第１要求信号に基づいて、特定情報を管理装置へ第１ネットワーク経由で送信する。送信部が、識別情報と運転情報とをさらに管理装置へ第１ネットワーク経由で送信する。
【００１２】
したがって、管理装置が識別情報と運転情報とを第１ネットワーク経由で受信することができるため、管理装置に識別情報と運転情報とを把握させることができる。このため、遠隔管理装置から第２ネットワークと管理装置と第１ネットワークとを経由して複数の空調機のいずれかが遠隔管理されることが可能である。
請求項４に係る空調設備は、請求項３に記載の空調設備であって、送信部は、識別情報と運転情報とを管理装置へ第１ネットワーク経由で定期的に送信する。
【００１３】
この空調設備では、送信部が、第１要求信号に基づいて、特定情報を管理装置へ第１ネットワーク経由で送信する。送信部が、識別情報と運転情報とを管理装置へ第１ネットワーク経由で定期的に送信する。
したがって、管理装置が識別情報と運転情報とを第１ネットワーク経由で定期的に受信することができるため、管理装置が識別情報と運転情報とを要求しなくても、管理装置に識別情報と運転情報とを定期的に把握させることができる。
【００１４】
請求項５に係る空調設備は、請求項１から４のいずれかに記載の空調設備であって、受信部は、第２要求信号を管理装置から第１ネットワーク経由で受信する。第２要求信号は、上位識別情報の設定を要求する信号である。上位識別情報は、遠隔管理装置から複数の空調機のいずれかが遠隔管理されるために必要な情報であり、遠隔管理装置から複数の空調機のいずれかが識別される情報である。
【００１５】
この空調設備では、受信部が、第２要求信号を管理装置から第１ネットワーク経由で受信する。第２要求信号に基づいて、上位識別情報が設定されることが可能である。
したがって、第２要求信号を第１ネットワーク経由で受信して上位識別情報が設定されることが可能であるので、上位識別情報が重複して設定されることを低減することができる。このため、上位識別情報が設定される際の負担を低減することができる。
【００１６】
請求項６に係る空調管理システムは、空調設備と管理装置とを備える。空調設備は、複数の空調機を有する。管理装置は、空調設備に第１ネットワーク経由で接続されている。管理装置は、遠隔管理装置に第２ネットワークで接続されている。管理装置は、第１要求信号を空調設備へ第１ネットワーク経由で送信する。第１要求信号は、特定情報を要求する信号である。特定情報は、遠隔管理装置から複数の空調機のいずれかを遠隔管理するために必要な情報であり、複数の空調機のいずれかについて種類及び性能の少なくとも一方を特定する情報である。空調設備は、第１要求信号に基づいて、特定情報を管理装置へ第１ネットワーク経由で送信する。
【００１７】
この空調管理システムでは、管理装置が、第１要求信号を空調設備へ第１ネットワーク経由で送信する。空調設備が、第１要求信号を管理装置から第１ネットワーク経由で受信することができる。空調設備が、第１要求信号に基づいて、特定情報を決定することができる。空調設備が、第１要求信号に基づいて、特定情報を管理装置へ第１ネットワーク経由で送信する。
【００１８】
したがって、複数の空調機のいずれかについての特定情報を管理装置が第１ネットワーク経由で空調設備から受信することができるため、管理装置が特定情報を把握することができる。このため、遠隔管理装置から第２ネットワークと管理装置と第１ネットワークとを経由して複数の空調機のいずれかが遠隔管理される準備として、空調設備を停止することなく、遠隔管理装置から複数の空調機のいずれかを遠隔管理するために必要な情報を検出することができる。
【００１９】
なお、空調機は、例えば、室内機や室外機などである。「第１要求信号に基づいて」とは、第１要求信号そのものに基づくことだけでなく、第１要求信号に基づいた情報に基づくことも含む。第１ネットワークと第２ネットワークとは、プロトコルが同じであってもよいし、プロトコルが異なっていてもよい。
請求項７に係る空調管理システムは、空調設備と管理装置とを備える。空調設備は、１以上の冷媒系統を有する。冷媒系統は、１以上の室外機と１以上の室内機とを含む。管理装置は、空調設備に第１ネットワークで接続されており、遠隔管理装置に第２ネットワークで接続されている。空調設備は、系統識別情報と運転情報とを管理装置へ第１ネットワーク経由で送信する。系統識別情報は、１以上の室外機のいずれか又は１以上の室内機のいずれかが遠隔管理装置から遠隔管理されるために必要な情報であり、冷媒系統の構成が識別される情報である。運転情報は、１以上の室外機のいずれか又は１以上の室内機のいずれかの運転に関する情報である。
【００２０】
この空調管理システムでは、空調設備が、１以上の冷媒系統を有する。管理装置が、空調設備に第１ネットワークで接続されている。管理装置が、遠隔管理装置に第２ネットワークで接続されている。空調設備が、系統識別情報と運転情報とを管理装置へ第１ネットワーク経由で送信する。
したがって、１以上の室外機のいずれか又は１以上の室内機のいずれかの系統識別情報及び運転情報を管理装置が第１ネットワーク経由で空調設備から受信することができるため、管理装置が、１以上の室外機のいずれか又は１以上の室内機のいずれかの系統識別情報及び運転情報を把握することができる。このため、１以上の室外機のいずれか又は１以上の室内機のいずれかを遠隔管理装置から遠隔管理する準備として、空調設備を止めることなく、１以上の室外機のいずれか又は１以上の室内機のいずれかを遠隔管理するために必要な情報を検出することができる。
【００２１】
なお、「第１要求信号に基づいて」とは、第１要求信号そのものに基づくことだけでなく、第１要求信号に基づいた情報に基づくことも含む。第１ネットワークと第２ネットワークとは、プロトコルが同じであってもよいし、プロトコルが異なっていてもよい。
請求項８に係る空調管理システムは、空調設備と管理装置と遠隔管理装置とを備える。空調設備は、複数の空調機を有する。管理装置は、空調設備に第１ネットワークで接続されている。遠隔管理装置は、管理装置に第２ネットワークで接続されている。空調設備は、第１要求信号を管理装置から第１ネットワーク経由で受信する。第１要求信号は、特定情報を要求する信号である。特定情報は、遠隔管理装置から複数の空調機のいずれかが遠隔管理されるために必要な情報であり、複数の空調機のいずれかの種類及び性能の少なくとも一方を特定する情報である。空調設備は、第１要求信号に基づいて、特定情報を管理装置へ第１ネットワーク経由で送信する。管理装置は、特定情報を空調設備から第１ネットワーク経由で受信し、特定情報を遠隔管理装置へ第２ネットワーク経由で送信する。
【００２２】
この空調管理システムでは、空調設備が、複数の空調機を有する。管理装置が、空調機に第１ネットワークで接続されている。遠隔管理装置が、管理装置に第２ネットワークで接続されている。空調設備が、第１要求信号を管理装置から第１ネットワーク経由で受信する。空調設備が、第１要求信号に基づいて、特定情報を決定することができる。空調設備が、第１要求信号に基づいて、特定情報を管理装置へ第１ネットワーク経由で送信する。管理装置が、特定情報を空調設備から第１ネットワーク経由で受信し、特定情報を遠隔管理装置へ第２ネットワーク経由で送信する。
【００２３】
したがって、複数の空調機のいずれかの特定情報を管理装置が第１ネットワーク経由で空調設備から受信するため、複数の空調機のいずれかの特定情報を管理装置が把握することができる。このため、遠隔管理装置から第２ネットワークと管理装置と第１ネットワークとを経由して複数の空調機のいずれかが遠隔管理される準備として、空調設備を停止することなく、遠隔管理装置から複数の空調機のいずれかを遠隔管理するために必要な情報を検出することができる。また、遠隔管理装置が特定情報を第２ネットワーク経由で受信することができるので、遠隔管理装置から複数の空調機のいずれかを遠隔管理することができる。
【００２４】
なお、空調機は、例えば、室内機や室外機などである。「第１要求信号に基づいて」とは、第１要求信号そのものに基づくことだけでなく、第１要求信号に基づいた情報に基づくことも含む。第１ネットワークと第２ネットワークとは、プロトコルが同じであってもよいし、プロトコルが異なっていてもよい。
請求項９に係る空調設備の管理方法は、複数の空調機を有する空調設備の管理方法である。空調設備は、管理装置に第１ネットワークで接続されている。管理装置は、遠隔管理装置に第２ネットワークで接続されている。空調設備の管理方法は、受信ステップと送信ステップとを備える。受信ステップでは、第１要求信号が管理装置から第１ネットワーク経由で空調設備に受信される。第１要求信号は、特定情報が要求される信号である。特定情報は、遠隔管理装置から複数の空調機のいずれかが遠隔管理されるために必要な情報であり、複数の空調機のいずれかについて種類及び性能の少なくとも一方が特定される情報である。送信ステップでは、第１要求信号に基づいて、特定情報が空調設備から第１ネットワーク経由で管理装置へ送信される。
【００２５】
この空調設備の管理方法では、受信ステップにおいて、第１要求信号が管理装置から第１ネットワーク経由で空調設備に受信される。第１要求信号に基づいて、特定情報が決定され得る。送信ステップにおいて、第１要求信号に基づいて、特定情報が空調設備から第１ネットワーク経由で管理装置へ送信される。
したがって、管理装置が特定情報を第１ネットワーク経由で受信することができるため、管理装置に特定情報を把握させることができる。このため、遠隔管理装置から第２ネットワークと管理装置と第１ネットワークとを経由して複数の空調機のいずれかが遠隔管理される準備として、空調設備が停止されることなく、遠隔管理装置から複数の空調機のいずれかが遠隔管理されるために必要な情報が検出されることが可能である。
【００２６】
なお、空調機は、例えば、室内機や室外機などである。「第１要求信号に基づいて」とは、第１要求信号そのものに基づくことだけでなく、第１要求信号に基づいた情報に基づくことも含む。第１ネットワークと第２ネットワークとは、プロトコルが同じであってもよいし、プロトコルが異なっていてもよい。
【発明の効果】
【００２７】
請求項１に係る空調設備では、管理装置が特定情報を第１ネットワーク経由で受信することができるため、管理装置に特定情報を把握させることができる。このため、遠隔管理装置から第２ネットワークと管理装置と第１ネットワークとを経由して複数の空調機のいずれかが遠隔管理される準備として、停止されることなく、遠隔管理装置から複数の空調機のいずれかが遠隔管理されるために必要な情報が検出されることが可能である。
【００２８】
請求項２に係る空調設備では、管理装置が特定情報を第１ネットワーク経由で受信することができるため、管理装置に特定情報を把握させることができる。このため、遠隔管理装置から第２ネットワークと管理装置と第１ネットワークとを経由して複数の空調機のいずれかが遠隔管理される準備として、停止されることなく、遠隔管理装置から複数の空調機のいずれかが遠隔管理されるために必要な情報が検出されることが可能である。
【００２９】
請求項３に係る空調設備では、管理装置が識別情報と運転情報とを第１ネットワーク経由で受信することができるため、管理装置に識別情報と運転情報とを把握させることができる。このため、遠隔管理装置から第２ネットワークと管理装置と第１ネットワークとを経由して複数の空調機のいずれかが遠隔管理されることが可能である。
請求項４に係る空調設備では、管理装置が識別情報と運転情報とを第１ネットワーク経由で定期的に受信することができるため、管理装置が識別情報と運転情報とを要求しなくても、管理装置に識別情報と運転情報とを定期的に把握させることができる。
【００３０】
請求項５に係る空調設備では、第２要求信号を第１ネットワーク経由で受信して上位識別情報が設定されることが可能であるので、上位識別情報が重複して設定されることを低減することができる。このため、上位識別情報が設定される際の負担を低減することができる。
請求項６に係る空調管理システムでは、複数の空調機のいずれかについての特定情報を管理装置が第１ネットワーク経由で空調設備から受信することができるため、管理装置が特定情報を把握することができる。このため、遠隔管理装置から第２ネットワークと管理装置と第１ネットワークとを経由して複数の空調機のいずれかが遠隔管理される準備として、空調設備を停止することなく、遠隔管理装置から複数の空調機のいずれかを遠隔管理するために必要な情報を検出することができる。
【００３１】
請求項７に係る空調管理システムでは、１以上の室外機のいずれか又は１以上の室内機のいずれかの系統識別情報及び運転情報を管理装置が第１ネットワーク経由で空調設備から受信することができるため、管理装置が、１以上の室外機のいずれか又は１以上の室内機のいずれかの系統識別情報及び運転情報を把握することができる。このため、１以上の室外機のいずれか又は１以上の室内機のいずれかを遠隔管理装置から遠隔管理する準備として、空調設備を止めることなく、１以上の室外機のいずれか又は１以上の室内機のいずれかを遠隔管理するために必要な情報を検出することができる。
【００３２】
請求項８に係る空調管理システムでは、複数の空調機のいずれかの特定情報を管理装置が第１ネットワーク経由で空調設備から受信するため、複数の空調機のいずれかの特定情報を管理装置が把握することができる。このため、遠隔管理装置から第２ネットワークと管理装置と第１ネットワークとを経由して複数の空調機のいずれかが遠隔管理される準備として、空調設備を停止することなく、遠隔管理装置から複数の空調機のいずれかを遠隔管理するために必要な情報を検出することができる。また、遠隔管理装置が特定情報を第２ネットワーク経由で受信することができるので、遠隔管理装置から複数の空調機のいずれかを遠隔管理することができる。
【００３３】
請求項９に係る空調設備の管理方法では、管理装置が特定情報を第１ネットワーク経由で受信することができるため、管理装置に特定情報を把握させることができる。このため、遠隔管理装置から第２ネットワークと管理装置と第１ネットワークとを経由して複数の空調機のいずれかが遠隔管理される準備として、空調設備が停止されることなく、遠隔管理装置から複数の空調機のいずれかが遠隔管理されるために必要な情報が検出されることが可能である。
【発明を実施するための最良の形態】
【００３４】
［第１実施形態］
図１に、本発明の第１実施形態にかかる空調管理システム１の構成図を示す。また、本発明の第１実施形態にかかる空調管理システム１の構成要素の構成図を図２，図３に示す。
＜空調管理システム１の全体構成＞
図１に示す空調管理システム１は、主として空調設備６０（６０ａ，６０ｂ，・・・），管理装置３０，遠隔管理装置７０，ビル管理装置８０，ネットワーク４０及びネットワーク５０を備える。
【００３５】
空調設備６０（６０ａ，６０ｂ，・・・）と管理装置３０とは、ネットワーク５０で接続されている。管理装置３０と遠隔管理装置７０とは、ネットワーク４０で接続されている。管理装置３０とビル管理装置８０とは、ネットワーク４０で接続されている。
＜空調設備６０（６０ａ，６０ｂ，・・・）の構成＞
図１に示すように、空調設備６０（６０ａ，６０ｂ，・・・）は、主として、空調機群６０ａ，６０ｂ，・・・を備える。空調設備６０（６０ａ，６０ｂ，・・・）は、ビル１０に配備されている。
【００３６】
空調機群６０ａ（６０ａａ，６０ａｂ，６０ａｃ，６０ａｄ，・・・）は、室外機６０ａａと室内機群（６０ａｂ，６０ａｃ，６０ａｄ，・・・）とを備える。室外機６０ａａと室内機群（６０ａｂ，６０ａｃ，６０ａｄ，・・・）とは、ネットワーク５０で接続されている。
図１に示す室外機６０ａａは、図２に示すように、主として、受信部６１ａａ，送信部６２ａａ，決定部６３ａａ及び記憶部６４ａａを備える。記憶部６４ａａは、主として、プロパティコマンド６５ａａと定常コマンド６６ａａとを備える。プロパティコマンド６５ａａは、遠隔管理装置７０（図１参照）から空調機６０ａａ，６０ａｂ，６０ａｃ，６０ａｄ，・・・，６０ｂａ，６０ｂｂ，６０ｂｃ，６０ｂｄ，・・・（以下、空調機６０ａａ等とする。）（図１参照）が遠隔管理されるために必要な情報であり、空調機６０ａａ等（図１参照）について主として種類及び性能を特定する情報である。定常コマンド６６ａａは、主として、空調機６０ａａ等（図１参照）を識別する情報である識別情報と、空調機６０ａａ等（図１参照）の運転に関する情報である運転情報と、を備える。
【００３７】
受信部６１ａａが、プロパティコマンド６５ａａを要求するコマンドであるプロパティコマンド要求コマンド３７（図３参照）を、管理装置３０からネットワーク５０経由で受信する。記憶部６４ａａが、プロパティコマンド６５ａａを記憶している。決定部６３ａａが、プロパティコマンド要求コマンド３７（図３参照）を受信部６１ａａから受け取る。決定部６３ａａが、プロパティコマンド要求コマンド３７（図３参照）に基づいて、プロパティコマンド６５ａａを決定する。決定部６３ａａが、記憶部６４ａａを参照して、プロパティコマンド６５ａａを記憶部６４ａａから取得する。送信部６２ａａが、プロパティコマンド６５ａａを決定部６３ａａから受け取る。
【００３８】
一方、決定部６３ａａが、定期的に記憶部６４ａａを参照し、定常コマンド６６ａａを記憶部６４ａａから取得して送信部６２ａａへ渡す。
送信部６２ａａは、定常コマンド６６ａａを管理装置３０へネットワーク５０経由で定期的に送信する。受信部６１ａａがプロパティコマンド要求コマンド３７（図３参照）を受信した場合、送信部６２ａａが、定常コマンド６６ａａを送信する際に、プロパティコマンド要求コマンド３７（図３参照）に対する返信として、プロパティコマンド６５ａａを定常コマンド６６ａａとともにネットワーク５０経由で管理装置３０（図１参照）へ送信する。
【００３９】
他の空調機群６０ｂ，・・・も、空調機群６０ａと同様である。
＜管理装置３０の構成＞
図１に示す管理装置３０は、図３に示すように、主として、送受信部３１，送受信部３２，プロトコル変換部３３，制御部３４，入力部３５及び記憶部３６を備える。管理装置３０は、ビル１０に配備されている。
【００４０】
入力部３５に、プロパティコマンド６５ａａを要求する旨の情報が入力される。制御部３４は、プロパティコマンド６５ａａを要求する旨の情報を入力部３５から受け取り、記憶部３６を参照して、プロパティコマンド要求コマンド３７を記憶部３６から受け取る。制御部３４は、プロパティコマンド要求コマンド３７をプロトコル変換部３３へ渡す。プロトコル変換部３３は、プロパティコマンド要求コマンド３７を、ネットワーク５０の形式へ変換して、送受信部３２へ渡す。送受信部３２は、プロパティコマンド要求コマンド３７をネットワーク５０経由で空調設備６０へ送信する。
【００４１】
送受信部３２は、定常コマンド６６ａａ（図２参照）をネットワーク５０経由で空調設備６０から定期的に受信する。送受信部３２がプロパティコマンド要求コマンド３７を送信した場合、送受信部３２が、定常コマンド６６ａａ（図２参照）を受信する際に、プロパティコマンド要求コマンド３７に対する返信として、プロパティコマンド６５ａａ（図２参照）を定常コマンド６６ａａ（図２参照）とともに空調設備６０（図１参照）からネットワーク５０経由で受信する。定常コマンド６６ａａ（図２参照）のみ、あるいは定常コマンド６６ａａ（図２参照）及びプロパティコマンド６５ａａ（図２参照）は、プロトコル変換部３３と制御部３４とを経由して、記憶部３６に記憶される。
【００４２】
送受信部３１は、定常コマンド６６ａａ（図２参照）及びプロパティコマンド６５ａａ（図２参照）を欲しい旨の要求をネットワーク４０経由で遠隔管理装置７０（図１参照）から受信する。その要求は、送受信部３１からプロトコル変換部３３を経由して制御部３４へ渡される。制御部３４は、記憶部３６を参照して、定常コマンド６６ａａ（図２参照）及びプロパティコマンド６５ａａ（図２参照）を記憶部３６から取得する。定常コマンド６６ａａ（図２参照）及びプロパティコマンド６５ａａ（図２参照）は、制御部３４からプロトコル変換部３３を経由して送受信部３１へ渡される。送受信部３１は、定常コマンド６６ａａ（図２参照）及びプロパティコマンド６５ａａ（図２参照）をネットワーク４０経由で遠隔管理装置７０（図１参照）へ送信する。
【００４３】
管理装置３０は、遠隔管理装置７０（図１参照）からの指令に基づき、空調機６０ａａ等をネットワーク５０経由で管理する。例えば、遠隔管理装置７０（図１参照）からの指令が空調機６０ａａ等を監視したいというものである場合、管理装置３０は、定常コマンド６６ａａ（図２参照）に備えられた情報を、あるいは、定常コマンド６６ａａ（図２参照）及びプロパティコマンド６５ａａ（図２参照）に備えられた情報を、ネットワーク４０経由で遠隔管理装置７０へ送信する。遠隔管理装置７０（図１参照）からの指令が空調機６０ａａ等を制御したいというものである場合、管理装置３０は、その指令に基づく制御信号を、生成して、ネットワーク４０経由で遠隔管理装置７０へ送信する。
【００４４】
＜遠隔管理装置７０の構成＞
遠隔管理装置７０は、図１に示すように、遠隔管理センタ２０に配備されている。遠隔管理センタ２０は、ビル１０から離れた場所にある。
遠隔管理装置７０は、定常コマンド６６ａａ（図２参照）及びプロパティコマンド６５ａａ（図２参照）を欲しい旨の要求をネットワーク４０経由で管理装置３０へ送信する。
【００４５】
遠隔管理装置７０は、定常コマンド６６ａａ（図２参照）及びプロパティコマンド６５ａａ（図２参照）をネットワーク４０経由で管理装置３０から受信する。遠隔管理装置７０は、定常コマンド６６ａａ（図２参照）及びプロパティコマンド６５ａａ（図２参照）に備えられた情報に基づいて、空調機６０ａａ等をネットワーク４０と管理装置３０とネットワーク５０とを経由して遠隔管理する。定常コマンド６６ａａ（図２参照）に備えられた情報は、空調機６０ａａ等について主として種類及び性能を特定する情報である。プロパティコマンド６５ａａ（図２参照）に備えられた情報は、主として、空調機６０ａａ等を識別する情報である識別情報と、空調機６０ａａ等の運転に関する情報である運転情報と、である。
【００４６】
＜ビル管理装置８０の構成＞
ビル管理装置８０は、図１に示すように、ビル１０に配備されている。ビル管理装置８０は、ネットワーク４０で管理装置３０に接続されている。
ビル管理装置８０は、ネットワーク４０と管理装置３０とネットワーク５０とを経由して空調機６０ａａ等を管理する。また、ビル管理装置８０は、空調機６０ａａ等以外のビル内の設備機器についても同様にネットワーク４０経由で管理する。
【００４７】
＜空調管理システム１が空調機６０ａａ等を管理する処理の流れ＞
図１に示す空調管理システム１が空調機６０ａａ等を管理する処理の流れを、図４に示すフローチャートを用いて説明する。なお、空調管理システム１が空調機群６０ａ（６０ａａ，６０ａｂ，６０ａｃ，６０ａｄ，・・・）を管理する場合について説明するが、空調管理システム１が他の空調機群６０ｂ，６０ｃ，・・・を管理する場合についても同様である。
【００４８】
図４に示すステップＳ１では、プロパティコマンドを取得したい旨の要求があるか否かが判断される。すなわち、プロパティコマンド６５ａａ（図２参照）を要求する旨の情報が図３に示す管理装置３０の入力部３５に入力されて、制御部３４により、プロパティコマンド６５ａａを要求する旨の情報が入力部３５から受け取られた場合、プロパティコマンドを取得したい旨の要求があると判断される。プロパティコマンド６５ａａ（図２参照）を要求する旨の情報が図３に示す管理装置３０の入力部３５に入力されず、制御部３４により、プロパティコマンド６５ａａを要求する旨の情報が入力部３５から受け取られない場合、プロパティコマンドを取得したい旨の要求がないと判断される。プロパティコマンドを取得したい旨の要求があると判断されれば、ステップＳ２へ進められ、プロパティコマンドを取得したい旨の要求がないと判断されれば、ステップＳ７へ進められる。
【００４９】
図４に示すステップＳ２では、プロパティコマンドが要求される。すなわち、図３に示す制御部３４により、記憶部３６が参照され、プロパティコマンド要求コマンド３７が記憶部３６から受け取られる。制御部３４により、プロパティコマンド要求コマンド３７がプロトコル変換部３３へ渡される。プロトコル変換部３３により、プロパティコマンド要求コマンド３７が、ネットワーク５０の形式へ変換されて、送受信部３２へ渡される。送受信部３２により、プロパティコマンド要求コマンド３７がネットワーク５０経由で空調設備６０（図１参照）へ送信される。
【００５０】
図４に示すステップＳ３では、プロパティコマンドが決定される。すなわち、図２に示す室外機６０ａａの受信部６１ａａにより、プロパティコマンド要求コマンド３７（図３参照）が、管理装置３０からネットワーク５０経由で受信される。記憶部６４ａａにより、プロパティコマンド６５ａａが記憶されている。決定部６３ａａにより、プロパティコマンド要求コマンド３７（図３参照）が受け取られる。決定部６３ａａにより、プロパティコマンド要求コマンド３７（図３参照）に基づいて、プロパティコマンド６５ａａが決定される。決定部６３ａａにより、記憶部６４ａａが参照されて、プロパティコマンド６５ａａが記憶部６４ａａから取得される。送信部６２ａａにより、プロパティコマンド６５ａａが決定部６３ａａから受け取られる。
【００５１】
図４に示すステップＳ４では、定常コマンドとプロパティコマンドとが送信される。すなわち、決定部６３ａａにより、定期的に記憶部６４ａａが参照され、定常コマンド６６ａａが記憶部６４ａａから取得されて送信部６２ａａへ渡される。送信部６２ａａにより、定常コマンド６６ａａが送信される際に、プロパティコマンド要求コマンドに対する返信として、プロパティコマンド６５ａａが定常コマンド６６ａａとともにネットワーク５０経由で管理装置３０へ送信される。
【００５２】
図４に示すステップＳ５では、管理装置３０の上位に送信が行われる。すなわち、図３に示す送受信部３２により、定常コマンド６６ａａ（図２参照）が受信される際に、プロパティコマンド要求コマンド３７に対する返信として、プロパティコマンド６５ａａ（図２参照）が定常コマンド６６ａａ（図２参照）とともに空調設備６０からネットワーク５０経由で受信される。定常コマンド６６ａａ（図２参照）及びプロパティコマンド６５ａａ（図２参照）は、プロトコル変換部３３と制御部３４とを経由して、記憶部３６に記憶される。遠隔管理装置７０（図１参照）により、定常コマンド６６ａａ（図２参照）及びプロパティコマンド６５ａａ（図２参照）を欲しい旨の要求がネットワーク４０経由で管理装置３０へ送信される。管理装置３０の送受信部３１により、定常コマンド６６ａａ（図２参照）及びプロパティコマンド６５ａａ（図２参照）を欲しい旨の要求が遠隔管理装置７０（図１参照）からネットワーク４０経由で受信される。その要求は、送受信部３１からプロトコル変換部３３を経由して制御部３４へ渡される。制御部３４により、記憶部３６が参照されて、定常コマンド６６ａａ（図２参照）及びプロパティコマンド６５ａａ（図２参照）が記憶部３６から取得される。定常コマンド６６ａａ（図２参照）及びプロパティコマンド６５ａａ（図２参照）は、制御部３４からプロトコル変換部３３を経由して送受信部３１へ渡される。送受信部３１により、定常コマンド６６ａａ（図２参照）及びプロパティコマンド６５ａａ（図２参照）がネットワーク４０経由で遠隔管理装置７０（図１参照）へ送信される。
【００５３】
図４に示すステップＳ６では、遠隔管理用ＩＤが手動で設定される。すなわち、図３に示す管理装置３０の入力部３５に、空調機６０ａａ等（図１参照）の遠隔管理用ＩＤが入力される。ここで、遠隔管理用ＩＤは、遠隔管理装置７０（図１参照）から空調機６０ａａ等（図１参照）が遠隔管理されるために必要な情報であり、遠隔管理装置７０（図１参照）から空調機６０ａａ等（図１参照）が識別される情報である。遠隔管理用ＩＤは、入力部３５から制御部３４を経由して記憶部３６に記憶される。
【００５４】
図４に示すステップＳ７では、定常コマンドが送信される。すなわち、図２に示す室外機６０ａａの決定部６３ａａにより、定期的に記憶部６４ａａが参照され、定常コマンド６６ａａが記憶部６４ａａから取得されて送信部６２ａａへ渡される。送信部６２ａａにより、定常コマンド６６ａａが管理装置３０へネットワーク５０経由で定期的に送信される。
【００５５】
図４に示すステップＳ８では、すでに遠隔管理が行われているか否かが判断される。すなわち、図３に示す管理装置３０の送受信部３２により、定常コマンド６６ａａ（図２参照）がネットワーク５０経由で空調設備６０から定期的に受信される。定常コマンド６６ａａ（図２参照）のみが、プロトコル変換部３３と制御部３４とを経由して、記憶部３６に記憶される。制御部３４により、遠隔管理装置７０（図１参照）から空調機６０ａａ等（図１参照）がすでに遠隔管理されているか否かが判断される。すでに遠隔管理されていると判断された場合は、ステップＳ９へ進められ、すでに遠隔管理されていないと判断された場合は、処理が終了される。
【００５６】
図４に示すステップＳ９では、管理装置３０の上位に送信が行われる。すなわち、図３に示す送受信部３１により、定常コマンド６６ａａ（図２参照）を欲しい旨の要求が遠隔管理装置７０（図１参照）からネットワーク４０経由で受信される。その要求は、送受信部３１からプロトコル変換部３３を経由して制御部３４へ渡される。制御部３４により、記憶部３６が参照されて、定常コマンド６６ａａ（図２参照）が記憶部３６から取得される。定常コマンド６６ａａ（図２参照）は、制御部３４からプロトコル変換部３３を経由して送受信部３１へ渡される。送受信部３１により、定常コマンド６６ａａ（図２参照）がネットワーク４０経由で遠隔管理装置７０（図１参照）へ送信される。
【００５７】
図４に示すステップＳ１０では、遠隔管理が行われる。すなわち、図１に示す管理装置３０により、遠隔管理装置７０からの指令に基づき、空調機６０ａａ等がネットワーク５０経由で管理される。例えば、遠隔管理装置７０からの指令が空調機６０ａａ等を監視したいというものである場合、管理装置３０により、定常コマンド６６ａａ（図２参照）に備えられた情報が、あるいは、定常コマンド６６ａａ（図２参照）及びプロパティコマンド６５ａａ（図２参照）に備えられた情報が、ネットワーク４０経由で遠隔管理装置７０へ送信される。遠隔管理装置７０からの指令が空調機６０ａａ等を制御したいというものである場合、管理装置３０により、その指令に基づく制御信号が、生成され、ネットワーク４０経由で遠隔管理装置７０へ送信される。
【００５８】
＜空調管理システム１に関する特徴＞
（１）
ここでは、図２に示す室外機６０ａａの受信部６１ａａが、プロパティコマンド要求コマンド３７（図３参照）を管理装置３０（図１参照）からネットワーク５０（図１参照）経由で受信する。記憶部６４ａａが、プロパティコマンド６５ａａを記憶している。ここで、プロパティコマンド６５ａａは、遠隔管理装置７０（図１参照）から空調機６０ａａ等（図１参照）が遠隔管理されるために必要な情報であり、空調機６０ａａ等（図１参照）について主として種類及び性能を特定する情報である。決定部６３ａａが、プロパティコマンド要求コマンド３７（図３参照）を受信部６１ａａから受け取る。決定部６３ａａが、プロパティコマンド要求コマンド３７（図３参照）に基づいて、プロパティコマンド６５ａａを決定する。決定部６３ａａが、記憶部６４ａａを参照して、プロパティコマンド６５ａａを記憶部６４ａａから取得する。送信部６２ａａが、プロパティコマンド６５ａａを決定部６３ａａから受け取る。受信部６１ａａがプロパティコマンド要求コマンド３７（図３参照）を受信した場合、送信部６２ａａが、定常コマンド６６ａａを送信する際に、プロパティコマンド要求コマンド３７（図３参照）に対する返信として、プロパティコマンド６５ａａを定常コマンド６６ａａとともにネットワーク５０経由で管理装置３０（図１参照）へ送信する。
【００５９】
したがって、管理装置３０（図１参照）がプロパティコマンド６５ａａをネットワーク５０経由で受信することが可能であるため、管理装置３０（図１参照）にプロパティコマンド６５ａａを把握させることが可能である。このため、遠隔管理装置７０（図１参照）からネットワーク４０と管理装置３０（図１参照）とネットワーク５０とを経由して空調機６０ａａ等（図１参照）を遠隔管理する準備として、空調機６０ａａ等（図１参照）を停止することなく、遠隔管理装置７０（図１参照）から空調機６０ａａ等（図１参照）を遠隔管理するために必要な情報を検出することが可能である。
【００６０】
（２）
ここでは、図２に示す室外機６０ａａの送信部６２ａａが、プロパティコマンド要求コマンド３７（図３参照）に基づいて、プロパティコマンド６５ａａを管理装置３０（図１参照）へネットワーク５０（図１参照）経由で送信する。送信部６２ａａが、定常コマンド６６ａａをさらに管理装置３０（図１参照）へネットワーク５０経由で送信する。ここで、定常コマンド６６ａａは、主として、空調機６０ａａ等（図１参照）を識別する情報である識別情報と、空調機６０ａａ等（図１参照）の運転に関する情報である運転情報と、を備える。
【００６１】
したがって、管理装置３０（図１参照）が識別情報と運転情報とをネットワーク５０経由で受信することが可能であるため、管理装置３０（図１参照）に識別情報と運転情報とを把握させることが可能である。このため、遠隔管理装置７０（図１参照）からネットワーク４０と管理装置３０（図１参照）とネットワーク５０とを経由して空調機６０ａａ等（図１参照）が遠隔管理されることが可能である。
【００６２】
（３）
ここでは、図２に示す室外機６０ａａの送信部６２ａａが、プロパティコマンド要求コマンド３７（図３参照）に基づいて、プロパティコマンド６５ａａを管理装置３０（図１参照）へネットワーク５０経由で送信する。送信部６２ａａが、定常コマンド６６ａａをさらに管理装置３０（図１参照）へネットワーク５０経由で定期的に送信する。ここで、定常コマンド６６ａａは、主として、空調機６０ａａ等（図１参照）を識別する情報である識別情報と、空調機６０ａａ等（図１参照）の運転に関する情報である運転情報と、を備える。
【００６３】
したがって、管理装置３０（図１参照）が識別情報と運転情報とをネットワーク５０経由で定期的に受信することが可能であるため、管理装置３０（図１参照）が識別情報と運転情報とを要求しなくても、管理装置３０（図１参照）に識別情報と運転情報とを定期的に把握させることが可能である。
（４）
ここでは、図１に示す空調設備６０が、プロパティコマンド要求コマンド３７（図３参照）を管理装置３０からネットワーク５０経由で受信する。空調設備６０が、プロパティコマンド要求コマンド３７（図３参照）に基づいて、プロパティコマンド６５ａａ，・・・（図２参照）を決定する。ここで、プロパティコマンド６５ａａ，・・・（図２参照）は、遠隔管理装置７０から空調機６０ａａ等が遠隔管理されるために必要な情報であり、空調機６０ａａ等について主として種類及び性能を特定する情報である。空調設備６０が、プロパティコマンド要求コマンド３７（図３参照）に基づいて、プロパティコマンド６５ａａ，・・・（図２参照）を管理装置３０へネットワーク５０経由で送信する。管理装置３０が、プロパティコマンド６５ａａ，・・・（図２参照）を空調設備６０からネットワーク５０経由で受信し、プロパティコマンド６５ａａ，・・・（図２参照）を遠隔管理装置７０へネットワーク４０経由で送信する。
【００６４】
したがって、空調機６０ａａ等のプロパティコマンド６５ａａ，・・・（図２参照）を管理装置３０がネットワーク５０経由で空調設備６０から受信するため、空調機６０ａａ等のプロパティコマンド６５ａａ，・・・（図２参照）を管理装置３０が把握することが可能である。このため、遠隔管理装置７０からネットワーク４０と管理装置３０とネットワーク４０とを経由して空調機６０ａａ等が遠隔管理される準備として、空調設備６０を停止することなく、遠隔管理装置７０から空調機６０ａａ等を遠隔管理するために必要な情報を検出することが可能である。また、遠隔管理装置７０がプロパティコマンド６５ａａ，・・・（図２参照）をネットワーク４０経由で受信することが可能であるので、遠隔管理装置７０から空調機６０ａａ等を遠隔管理することが可能である。
【００６５】
＜第１実施形態の変形例＞
（Ａ）ネットワーク４０とネットワーク５０とは、プロトコルが同じであってもよいし、プロトコルが異なっていてもよい。図２に示す送信部６２ａａは、プロパティコマンド６５ａａを定常コマンド６６ａａとともに送信しなくてもよい。すなわち、定常コマンド６６ａａを送信するタイミングにならなくても、受信部６１ａａがプロパティコマンド要求コマンド３７（図３参照）を受信したら、送信部６２ａａがすぐにプロパティコマンド６５ａａを送信してもよい。
【００６６】
（Ｂ）図２に示す定常コマンド６６ａａは、主として、空調機６０ａａ等（図１参照）が遠隔管理装置７０（図１参照）から遠隔管理されるために必要な情報であり冷媒系統９１，９２，・・・の構成が識別される情報である系統識別情報と、空調機６０ａａ等（図１参照）の運転に関する情報である運転情報と、を備えていてもよい。この場合、系統識別情報は上記の識別情報を含んでいてもよい。あるいは、系統識別情報は上記の識別情報を含んでおらず、定常コマンド６６ａａは、主として、識別情報と系統識別情報と運転情報とを備えていてもよい。また、冷媒系統９１，９２，・・・は、図１に示すように、１つの室外機６０ａａ，６０ｂａ，・・・と、その室外機６０ａａ，６０ｂａ，・・・にネットワーク５０で接続された室内機群６０ａｂ，６０ａｃ，６０ａｄ，・・・，６０ｂｂ，６０ｂｃ，６０ｂｄ，・・・と、を含むものであってもよい。あるいは、冷媒系統９１ａ，・・・は、図５に示すように、複数の室外機６０ａａ，６０ｂａ，・・・と、その複数の室外機６０ａａ，６０ｂａ，・・・にネットワーク５０で接続された室内機群６０ａｂ，６０ａｃ，６０ａｄ，・・・，６０ｂｂ，６０ｂｃ，６０ｂｄ，・・・と、を含むものであってもよい。
【００６７】
（Ｃ）図１に示すビル管理装置８０は、備えられていなくてもよい。すなわち、空調機６０ａａ等以外の設備機器も遠隔管理装置７０からネットワーク４０経由で遠隔管理されていてもよい。
（Ｄ）図４に示すステップＳ１において、プロパティコマンド６５ａａ（図２参照）を要求する旨の情報が図３に示す管理装置３０の入力部３５に入力されなくてもよい。例えば、空調設備６０に新しい空調機６０ａａ等が追加されたような場合、空調機６０ａａ等からの追加されたことを示す信号を送受信部３２がネットワーク５０経由で空調機６０ａａ等から受信してもよい。この場合、制御部３４により、プロパティコマンドを取得したい旨の要求があるか否かが判断され得る。
【００６８】
［第２実施形態］
本発明の第２実施形態にかかる空調管理システム１００を図６に示す。また、本発明の第２実施形態にかかる空調管理システム１００の構成要素の構成図を図７，図８に示す。図６〜図８において、図１〜図３の空調管理システム１の構成要素と同様の構成要素は同じ番号で示してある。
【００６９】
この空調管理システム１００は、基本的な構造は第１実施形態と同様であるが、室外機１６０ａａ，１６０ｂａ，・・・の構成と、管理装置１３０の構成と、が第１実施形態と異なる。すなわち、図７に示すように、室外機１６０ａａの記憶部１６４ａａに、遠隔管理用ＩＤ情報１６７ａａがさらに記憶される。図８に示すように、管理装置１３０は、記憶部１３６に遠隔管理用ＩＤリモート設定コマンド１３８をさらに備える。
【００７０】
図８に示す入力部１３５には、空調機１６０ａａ，１６０ａｂ，１６０ａｃ，１６０ａｄ，・・・，１６０ｂａ，１６０ｂｂ，１６０ｂｃ，１６０ｂｄ，・・・（以下、空調機１６０ａａ等とする。）の遠隔管理用ＩＤを設定したい旨の要求が入力される。ここで、遠隔管理用ＩＤは、空調機１６０ａａ等（図６参照）を遠隔管理装置７０（図６参照）から遠隔管理するために必要な情報であり、遠隔管理装置７０（図６参照）から空調機１６０ａａ等（図６参照）が識別される情報である。制御部１３４は、空調機１６０ａａ等（図６参照）に遠隔管理用ＩＤを設定したい旨の要求を入力部１３５から受け取り、記憶部１３６を参照して、遠隔管理用ＩＤリモート設定コマンド１３８を記憶部１３６から受け取る。制御部１３４は、遠隔管理用ＩＤリモート設定コマンド１３８をプロトコル変換部３３へ渡す。プロトコル変換部３３は、遠隔管理用ＩＤリモート設定コマンド１３８を、ネットワーク５０の形式へ変換して、送受信部３２へ渡す。送受信部３２は、遠隔管理用ＩＤリモート設定コマンド１３８をネットワーク５０経由で空調設備１６０（１６０ａ，１６０ｂ，・・・）へ送信する。図７に示す室外機１６０ａａの受信部６１ａａが、遠隔管理用ＩＤリモート設定コマンド１３８（図８参照）を、管理装置３０からネットワーク５０経由で受信する。決定部１６３ａａが、遠隔管理用ＩＤリモート設定コマンド１３８（図８参照）を受信部６１ａａから受け取る。決定部１６３ａａが、遠隔管理用ＩＤリモート設定コマンド１３８（図８参照）に基づいて、空調機１６０ａａ等（図６参照）に対して遠隔管理用ＩＤを決定する。決定部１６３ａａが、遠隔管理用ＩＤを遠隔管理用ＩＤ情報１６７ａａとして記憶部１６４ａａに記憶させる。したがって、遠隔管理用ＩＤリモート設定コマンド１３８（図８参照）をネットワーク５０経由で受信して遠隔管理用ＩＤが設定されることが可能であるので、遠隔管理用ＩＤが重複して設定されることを低減することが可能である。このため、遠隔管理用ＩＤが設定される際の負担を低減することが可能である。これらの点で第１実施形態と異なる。
【００７１】
また、図６に示す空調管理システム１００が空調機１６０ａａ等を管理する処理の流れが第１実施形態と異なる。なお、空調管理システム１００が空調機群１６０ａ（１６０ａａ，１６０ａｂ，１６０ａｃ，１６０ａｄ，・・・）を管理する場合について説明するが、空調管理システム１００が他の空調機群１６０ｂ，・・・を管理する場合についても同様である。図９，図１０において、図４に示す第１実施形態と同様の処理は、同じ番号で示してある。
【００７２】
図１０に示すステップＳ１１（図９，図１０で示す（１））では、遠隔管理用ＩＤを自動で設定したい旨の要求があるか否かが判断される。すなわち、空調機１６０ａａ等（図６参照）の遠隔管理用ＩＤを自動で設定したい旨の要求が図８に示す入力部１３５に入力されて、制御部１３４により、空調機１６０ａａ等（図６参照）の遠隔管理用ＩＤを設定したい旨の要求が入力部１３５から受け取られた場合、遠隔管理用ＩＤを自動で設定したい旨の要求があると判断される。空調機１６０ａａ等（図６参照）の遠隔管理用ＩＤを自動で設定したい旨の要求が図８に示す入力部１３５に入力されず、制御部１３４により、空調機１６０ａａ等（図６参照）の遠隔管理用ＩＤを設定したい旨の要求が入力部１３５から受け取られない場合、遠隔管理用ＩＤを自動で設定したい旨の要求がないと判断される。遠隔管理用ＩＤを自動で設定したい旨の要求があると判断されれば、ステップＳ１２へ進められ、遠隔管理用ＩＤを自動で設定したい旨の要求がないと判断されれば、ステップＳ８へ進められる。
【００７３】
図１０に示すステップＳ１２では、遠隔管理用ＩＤがリモートで設定される。すなわち、図８に示す制御部１３４により、記憶部１３６が参照されて、遠隔管理用ＩＤリモート設定コマンド１３８が記憶部１３６から受け取られる。制御部１３４により、遠隔管理用ＩＤリモート設定コマンド１３８がプロトコル変換部３３へ渡される。プロトコル変換部３３により、遠隔管理用ＩＤリモート設定コマンド１３８が、ネットワーク５０の形式へ変換されて、送受信部３２へ渡される。送受信部３２により、遠隔管理用ＩＤリモート設定コマンド１３８がネットワーク５０経由で空調設備１６０（１６０ａ，１６０ｂ，・・・）へ送信される。図７に示す室外機１６０ａａの受信部６１ａａにより、遠隔管理用ＩＤリモート設定コマンド１３８（図８参照）が、管理装置３０からネットワーク５０経由で受信される。決定部１６３ａａにより、遠隔管理用ＩＤリモート設定コマンド１３８（図８参照）が受信部６１ａａから受け取られる。決定部１６３ａａにより、遠隔管理用ＩＤリモート設定コマンド１３８（図８参照）に基づいて、空調機１６０ａａ等に対して遠隔管理用ＩＤが決定される。決定部１６３ａａにより、遠隔管理用ＩＤが遠隔管理用ＩＤ情報１６７ａａとして記憶部１６４ａａに記憶される（図１０で示す（２））。
【００７４】
管理装置３０（図６参照）がプロパティコマンド６５ａａをネットワーク５０経由で受信することが可能であるため、管理装置３０（図６参照）にプロパティコマンド６５ａａを把握させることが可能である点は、第１実施形態と同様である。したがって、このような空調管理システム１００によっても、遠隔管理装置７０（図１参照）からネットワーク４０と管理装置３０とネットワーク５０とを経由して空調機１６０ａａ等（図６参照）を遠隔管理する準備として、空調機１６０ａａ等（図６参照）を停止することなく、遠隔管理装置７０（図６参照）から空調機１６０ａａ等（図６参照）を遠隔管理するために必要な情報を検出することが可能である。
【産業上の利用可能性】
【００７５】
本発明にかかる空調設備、空調管理システム及び空調設備の管理方法は、空調設備を停止することなく、遠隔管理装置から空調機を遠隔管理するために必要な情報を検出することができるという効果を有し、空調設備、空調管理システム及び空調設備の管理方法等として有用である。
【図面の簡単な説明】
【００７６】
【図１】本発明の第１実施形態による空調管理システムの構成図。
【図２】本発明の第１実施形態による室外機の構成図。
【図３】本発明の第１実施形態による管理装置の構成図。
【図４】空調管理システムが空調機を管理する処理の流れを示すフローチャート。
【図５】本発明の第１実施形態による空調管理システムの構成図。
【図６】本発明の第２実施形態による空調管理システムの構成図。
【図７】本発明の第２実施形態による室外機の構成図。
【図８】本発明の第２実施形態による管理装置の構成図。
【図９】空調管理システムが空調機を管理する処理の流れを示すフローチャート。
【図１０】空調管理システムが空調機を管理する処理の流れを示すフローチャート。
【符号の説明】
【００７７】
１，１００  空調管理システム
１０  ビル
２０  遠隔管理センタ
３０，１３０  管理装置
４０，５０  ネットワーク
６０，１６０  空調設備
７０  遠隔管理装置
８０  ビル管理装置
【図１】
2005214427.tif 000003
【図２】
2005214427.tif 000004
【図３】
2005214427.tif 000005
【図４】
2005214427.tif 000006
【図５】
2005214427.tif 000007
【図６】
2005214427.tif 000008
【図７】
2005214427.tif 000009
【図８】
2005214427.tif 000010
【図９】
2005214427.tif 000011
【図１０】
2005214427.tif 000012